(57)【要約】【課題】電源が供給されていない夜間等においても、開閉扉またはおよび遊技盤本体の不正開閉を検知する。【解決手段】  外枠１０１と、前記外枠１０１に対して揺動自在に付設された開閉扉９および遊技盤本体と、前記開閉扉９またはおよび前記遊技盤の開閉動作を支持するヒンジ部を備えたパチンコ遊技機において、前記開閉扉９の開放動作または閉鎖動作の一方の開放動作に選択的に連動して移動位置に移動する移動部材１と、前記移動部材１の位置によって、前記開閉扉９の開放動作を報知する報知部材４および移動した前記移動部材１の位置を定位置に復帰させる機械的復帰駆動手段３とから成る遊技機。【選択図】図２
2010029327.tif 000002
【特許請求の範囲】
【請求項１】
外枠および該外枠に対して開閉自在に配設された開閉扉および遊技盤本体を備えた遊技機において、
前記開閉扉またはおよび遊技盤本体の開放動作または閉鎖動作の一方の動作に選択的に連動して定位置から移動位置に移動する移動部材と、
前記移動部材の位置によって、前記開閉扉またはおよび遊技盤本体の開閉動作を報知する報知部材と、
前記移動位置に移動した前記移動部材を、機械的駆動力により前記定位置に復帰させる機械的復帰駆動手段とから成る
ことを特徴とする遊技機。
【請求項２】
外枠および該外枠に対して開閉自在に配設された開閉扉および遊技盤本体を備えた遊技機において、
前記開閉扉またはおよび遊技盤本体の開閉動作に付随して動く移動部材と、
前記移動部材の開放動作または閉鎖動作の一方の動作に選択的に連動して定位置から移動位置に移動し、前記開閉扉またはおよび遊技盤本体の開閉動作を報知する報知部材と、
前記移動位置に移動した前記報知部材を、機械的駆動力により前記定位置に復帰させる機械的復帰駆動手段とから成る
から成る
ことを特徴とする遊技機。
【請求項３】
請求項２において、
前記移動部材が、
一端が前記開閉扉、遊技盤本体または枠体のいずれかにに当接し、前記開閉扉またはおよび遊技盤本体の開閉動作に応じて移動する第１の移動部材と、
前記第１の移動部材の移動に応じて移動する第２の移動部材とから成り、
前記報知部材が、該第２の移動部材に連絡して、該第２の移動部材の前記開閉扉またはおよび遊技盤本体の開放動作または閉鎖動作の一方の動作に選択的に連動して移動位置に移動し、前記開閉扉またはおよび遊技盤本体の開閉動作を報知するように構成されている
ことを特徴とする遊技機。
【請求項４】
外枠および該外枠に対して開閉自在に配設された開閉扉および遊技盤本体を備えた遊技機において、
前記開閉扉またはおよび遊技盤本体の開閉動作に付随して動く第１の移動部材と、
前記第１の移動部材の開放動作または閉鎖動作の一方の動作に選択的に連動して移動位置に移動する第２の移動部材と、
該第２の移動部材に連絡して前記開閉扉またはおよび遊技盤本体の開閉動作を報知する報知部材と、
前記移動位置に移動した前記報知部材を、機械的駆動力により前記定位置に復帰させる機械的復帰駆動手段とから成る
ことを特徴とする遊技機。
【請求項５】
請求項１ないし請求項４のいずれかにおいて
前記機械的復帰駆動手段が、変位量に応じたバネの付勢力により  前記移動位置に移動して係止手段によって係止されている前記移動部材または報知手段が、前記係止手段による係止が解除された時には、駆動するバネ部材によって構成されている
ことを特徴とする遊技機。
【請求項６】
請求項１ないし請求項４のいずれかにおいて
前記機械的復帰駆動手段が、変位量に応じた空気圧により  前記移動位置に移動して係止手段によって係止されている前記移動部材または報知手段が、前記係止手段による係止が解除された時には、駆動する空気バネ手段によって構成されている
ことを特徴とする遊技機。
【請求項７】
請求項３または請求項４において、
前記第１の移動部材と第２の移動部材とに鋸歯状の係合部を形成し、前記第１の移動部材の開放動作または閉鎖動作の一方の動作において前記第１の移動部材と第２の移動部材との鋸歯状の係合部が互いに係合することにより、前記第１の移動部材に対して前記第２の移動部材が選択的に連動して移動するように構成されている
ことを特徴とする遊技機。
【請求項８】
請求項３または請求項４において、
前記開閉扉またはおよび遊技盤本体の開閉動作に付随して動く部材の直線運動を回転運動に変換する変換機構を備えている
ことを特徴とする遊技機。
【請求項９】
請求項８において、
前記第１の移動部材と第２の移動部材が、前記変換機構によって変換された回転運動を可能にする回転部材によって構成され、
前記第１の移動部材の一方向の回転運動のみ前記第２の移動部材に回転連絡する選択的回転連絡機構を介して、前記第２の移動部材に回転連絡するように構成されている
ことを特徴とする遊技機。
【請求項１０】
請求項９において、
前記選択的回転連絡機構が、内外の回転体の間に介挿され、一方向の回転運動のみ係合して内外の回転体を一体回転させる係合片を備えている
ことを特徴とする遊技機。
【発明の詳細な説明】
【技術分野】
【０００１】
本発明は、外枠および該外枠に対して開閉自在に配設された開閉扉および遊技盤本体を備えた遊技機において、前記開閉扉またはおよび遊技盤本体の開閉動作に付随して動く前記移動部材の開放動作または閉鎖動作の一方の動作に選択的に連動して移動位置に移動する報知部材によって、前記開閉扉またはおよび遊技盤本体の開閉動作を報知するとともに、前記移動位置に移動した前記移動部材を、機械的駆動力により前記定位置に復帰させることにより、夜間における前記開閉扉またはおよび遊技盤本体の不正開閉を検知する遊技機に関するものである。
【背景技術】
【０００２】
従来の第１の遊技機においては、図１０に示されるように開閉自在の前面扉が上扉および下扉に分割された筐体を備え、下扉の裏面側上部に移動部材Ｉが設けられ、変更許可ボタンセンサから許可信号が出力されていない時において、設定変更操作が不正に行われた時にはソレノイドＳＬにより前記移動部材Ｉを移動させて、下扉の閉動作を阻止するものであった。
【特許文献１】特開２００７−１１７４１８
【０００３】
また従来の第２の遊技機においては、図１１に示されるように扉が開放されると、レールＲに移動可能に取り付けられた扉開放センサＳが駆動部によってレールＲに沿って移動されることにより、扉の開放を検知するものであった。
【特許文献２】特開２００６−１４９４８５
【発明の開示】
【発明が解決しようとする課題】
【０００４】
しかしながら、上記従来の第１の遊技機においては、昼間の開店時間内において、変更許可ボタンセンサから許可信号が出力されていない時に設定変更操作が不正に行われた時にはソレノイドＳＬにより前記移動部材Ｉを移動させて、下扉の閉動作を阻止するものであり、電源供給のない夜間における前記開閉扉またはおよび遊技盤本体の不正開閉を検知することは出来ないという問題があった。
【０００５】
また従来の第２の遊技機においては、昼間の開店時間内において、扉が開放されると、レールＲに移動可能に取り付けられた扉開放センサＳが駆動部によってレールＲに沿って移動されることにより、扉の開放を検知するものであり、駆動部への電源供給のない夜間における前記開閉扉またはおよび遊技盤本体の不正開閉を検知することは出来ないという問題があった。
【０００６】
そこで本発明者は、外枠および該外枠に対して開閉自在に配設された開閉扉および遊技盤本体を備えた遊技機において、前記開閉扉またはおよび遊技盤本体の開放動作または閉鎖動作の一方の動作に選択的に連動して移動位置に移動する移動部材の位置によって、報知部材が前記開閉扉またはおよび遊技盤本体の開閉動作を報知するとともに、前記移動位置に移動した前記移動部材を、機械的駆動力により前記定位置に復帰させるという本願発明の第１の基本的な技術的思想に着眼した。
【０００７】
また本発明者は、外枠および該外枠に対して開閉自在に配設された開閉扉および遊技盤本体を備えた遊技機において、前記開閉扉またはおよび遊技盤本体の開閉動作に付随して動く移動部材の開放動作または閉鎖動作の一方の動作に選択的に連動して移動位置に移動し、報知部材が前記開閉扉またはおよび遊技盤本体の開閉動作を報知するとともに、前記移動位置に移動した前記移動部材を、機械的駆動力により前記定位置に復帰させるという本願発明の第２の基本的な技術的思想に着眼した。
【０００８】
さらに本発明者は、上述の着眼した基本的な技術的思想に基づき、研究開発を重ねた結果、夜間における前記開閉扉またはおよび遊技盤本体の不正開閉を検知するとともに、前記移動位置に移動した前記移動部材を、機械的駆動力により前記定位置に復帰させるので、従業員の駆動操作を不要にするという目的を達成する本発明に到達した。
【課題を解決するための手段】
【０００９】
本発明（請求項１に記載の第１発明）の遊技機は、
外枠および該外枠に対して開閉自在に配設された開閉扉および遊技盤本体を備えた遊技機において、
前記開閉扉またはおよび遊技盤本体の開放動作または閉鎖動作の一方の動作に選択的に連動して移動位置に移動する移動部材と、
前記移動部材の位置によって、前記開閉扉またはおよび遊技盤本体の開閉動作を報知する報知部材と、
前記移動位置に移動した前記移動部材を、機械的駆動力により前記定位置に復帰させる機械的復帰駆動手段とから成る
ものである。
【００１０】
本発明（請求項２に記載の第２発明）の遊技機は、
外枠および該外枠に対して開閉自在に配設された開閉扉および遊技盤本体を備えた遊技機において、
前記開閉扉またはおよび遊技盤本体の開閉動作に付随して動く移動部材と、
前記移動部材の開放動作または閉鎖動作の一方の動作に選択的に連動して移動位置に移動し、前記開閉扉またはおよび遊技盤本体の開閉動作を報知する報知部材と、
前記移動位置に移動した前記報知部材を、機械的駆動力により前記定位置に復帰させる機械的復帰駆動手段とから成る
ものである。
【００１１】
本発明（請求項３に記載の第３発明）の遊技機は、
前記第２発明において、
前記移動部材が、
一端が前記開閉扉、遊技盤本体または枠体のいずれかにに当接し、前記開閉扉またはおよび遊技盤本体の開閉動作に応じて移動する第１の移動部材と、
前記第１の移動部材の移動に応じて移動する第２の移動部材とから成り、
前記報知部材が、該第２の移動部材に連絡して、該第２の移動部材の前記開閉扉またはおよび遊技盤本体の開放動作または閉鎖動作の一方の動作に選択的に連動して移動位置に移動し、前記開閉扉またはおよび遊技盤本体の開閉動作を報知するように構成されている
ものである。
【００１２】
本発明（請求項４に記載の第４発明）の遊技機は、
外枠および該外枠に対して開閉自在に配設された開閉扉および遊技盤本体を備えた遊技機において、
前記開閉扉またはおよび遊技盤本体の開閉動作に付随して動く第１の移動部材と、
前記第１の移動部材の開放動作または閉鎖動作の一方の動作に選択的に連動して移動位置に移動する第２の移動部材と、
該第２の移動部材に連絡して前記開閉扉またはおよび遊技盤本体の開閉動作を報知する報知部材と、
前記移動位置に移動した前記報知部材を、機械的駆動力により前記定位置に復帰させる機械的復帰駆動手段とから成る
ものである。
【００１３】
本発明（請求項５に記載の第５発明）の遊技機は、
前記第１発明ないし第４発明のいずれかにおいて、
前記機械的復帰駆動手段が、変位量に応じたバネの付勢力により  前記移動位置に移動して係止手段によって係止されている前記移動部材または報知手段が、前記係止手段による係止が解除された時には、駆動するバネ部材によって構成されている
ものである。
【００１４】
本発明（請求項６に記載の第６発明）の遊技機は、
前記第１発明ないし第４発明のいずれかにおいて、
前記機械的復帰駆動手段が、変位量に応じた空気圧により  前記移動位置に移動して係止手段によって係止されている前記移動部材または報知手段が、前記係止手段による係止が解除された時には、駆動する空気バネ手段によって構成されている
ものである。
【００１５】
本発明（請求項７に記載の第７発明）の遊技機は、
前記第３発明または請求項４において、
前記第１の移動部材と第２の移動部材とに鋸歯状の係合部を形成し、前記第１の移動部材の開放動作または閉鎖動作の一方の動作において前記第１の移動部材と第２の移動部材との鋸歯状の係合部が互いに係合することにより、前記第１の移動部材に対して前記第２の移動部材が選択的に連動して移動するように構成されている
ものである。
【００１６】
本発明（請求項８に記載の第８発明）の遊技機は、
前記第３発明または請求項４において、
前記開閉扉またはおよび遊技盤本体の開閉動作に付随して動く部材の直線運動を回転運動に変換する変換機構を備えている
ものである。
【００１７】
本発明（請求項９に記載の第９発明）の遊技機は、
前記第８発明において、
前記第１の移動部材と第２の移動部材が、前記変換機構によって変換された回転運動を可能にする回転部材によって構成され、
前記第１の移動部材の一方向の回転運動のみ前記第２の移動部材に回転連絡する選択的回転連絡機構を介して、前記第２の移動部材に回転連絡するように構成されている
ものである。
【００１８】
本発明（請求項１０に記載の第１０発明）の遊技機は、
前記第９発明において、
前記選択的回転連絡機構が、内外の回転体の間に介挿され、一方向の回転運動のみ係合して内外の回転体を一体回転させる係合片を備えている
ものである。
【発明の効果】
【００１９】
上記構成より成る第１発明の遊技機は、外枠および該外枠に対して開閉自在に配設された開閉扉および遊技盤本体を備えた遊技機において、前記移動部材が、前記開閉扉またはおよび遊技盤本体の開放動作または閉鎖動作の一方の動作に選択的に連動して移動位置に移動することにより、前記報知部材が、前記移動部材の位置によって、前記開閉扉またはおよび遊技盤本体の開閉動作を報知するので、前記開閉扉またはおよび遊技盤本体の不正開閉を確実に検知することが出来るという効果を奏するとともに、前記機械的復帰駆動手段により前記移動位置に移動した前記移動部材を、機械的駆動力により前記定位置に復帰させるので、従業員の駆動操作を不要にするという効果を奏する。
【００２０】
上記構成より成る第２発明の遊技機は、外枠および該外枠に対して開閉自在に配設された開閉扉および遊技盤本体を備えた遊技機において、前記移動部材が、前記開閉扉またはおよび遊技盤本体の開閉動作に付随して動き、前記報知部材が、前記移動部材の開放動作または閉鎖動作の一方の動作に選択的に連動して移動位置に移動し、前記開閉扉またはおよび遊技盤本体の開閉動作を報知するので、前記開閉扉またはおよび遊技盤本体の不正開閉を確実に検知することが出来るという効果を奏するとともに、前記機械的復帰駆動手段により前記移動位置に移動した前記報知部材を、機械的駆動力により前記定位置に復帰させるので、従業員の駆動操作を不要にするという効果を奏する。
【００２１】
上記構成より成る第３発明の遊技機は、前記第２発明において、前記移動部材を構成する一端が前記開閉扉、遊技盤本体または枠体のいずれかに当接した前記第１の移動部材が、前記開閉扉またはおよび遊技盤本体の開閉動作に応じて移動し、前記第２の移動部材が、前記第１の移動部材の移動に応じて移動することから、前記報知部材が、該第２の移動部材に連絡して、該第２の移動部材の前記開閉扉またはおよび遊技盤本体の開放動作または閉鎖動作の一方の動作に選択的に連動して移動位置に移動し、前記開閉扉またはおよび遊技盤本体の開閉動作を報知するので、前記開閉扉またはおよび遊技盤本体の不正開閉を確実に検知することが出来るという効果を奏する。
【００２２】
上記構成より成る第４発明の遊技機は、外枠および該外枠に対して開閉自在に配設された開閉扉および遊技盤本体を備えた遊技機において、前記第１の移動部材が、前記開閉扉またはおよび遊技盤本体の開閉動作に付随して動き、前記第２の移動部材が、前記第１の移動部材の開放動作または閉鎖動作の一方の動作に選択的に連動して移動位置に移動し、前記報知部材が、該第２の移動部材に連絡して前記開閉扉またはおよび遊技盤本体の開閉動作を報知するので、前記開閉扉またはおよび遊技盤本体の不正開閉を確実に検知することが出来るという効果を奏するとともに、前記機械的復帰駆動手段により前記移動位置に移動した前記報知部材を、機械的駆動力により前記定位置に復帰させるので、従業員の駆動操作を不要にするという効果を奏する。。
【００２３】
上記構成より成る第５発明の遊技機は、前記第１発明ないし第４発明のいずれかにおいて、前記機械的復帰駆動手段を構成する前記バネ部材が、変位量に応じたバネの付勢力により  前記移動位置に移動して係止手段によって係止されている前記移動部材または報知手段を、前記係止手段による係止が解除された時には、駆動して定位置に復帰させるので、従業員による駆動操作を不要にするという効果を奏する。
【００２４】
上記構成より成る第６発明の遊技機は、前記第１発明ないし第４発明のいずれかにおいて、
前記機械的復帰駆動手段を構成する前記空気バネ手段が、変位量に応じた空気圧により  前記移動位置に移動して係止手段によって係止されている前記移動部材または報知手段を、前記係止手段による係止が解除された時には、駆動して定位置に復帰させるので、従業員による駆動操作を不要にするという効果を奏する。
【００２５】
上記構成より成る第７発明の遊技機は、前記第３発明または請求項４において、前記第１の移動部材と第２の移動部材とに鋸歯状の係合部を形成し、前記第１の移動部材の開放動作または閉鎖動作の一方の動作において前記第１の移動部材と第２の移動部材との鋸歯状の係合部が互いに係合することにより、前記第１の移動部材に対して前記第２の移動部材が選択的に連動して移動するので、前記第２の移動部材の移動位置への移動により、前記開閉扉またはおよび遊技盤本体の不正開閉を確実に検知することが出来るという効果を奏する。
【００２６】
上記構成より成る第８発明の遊技機は、前記第３発明または請求項４において、前記変換機構により前記開閉扉またはおよび遊技盤本体の開閉動作に付随して動く部材の直線運動を回転運動に変換するので、前記変換機構により前記開閉扉またはおよび遊技盤本体の開閉動作に付随して動く部材の直線運動を回転運動への変換を可能にするという効果を奏する。
【００２７】
上記構成より成る第９発明の遊技機は、前記第８発明において、前記第１の移動部材と第２の移動部材が、前記変換機構によって変換された回転運動を可能にする回転部材によって構成されているため、前記第１の移動部材の一方向の回転運動のみ前記第２の移動部材に回転連絡する選択的回転連絡機構を介して、前記第２の移動部材に回転連絡するので、前記第２の移動部材の移動位置への回転移動により、前記開閉扉またはおよび遊技盤本体の不正開閉を確実に検知することが出来るという効果を奏する。
【００２８】
上記構成より成る第１０発明の遊技機は、前記第９発明において、前記選択的回転連絡機構が備える前記係合片が、内外の回転体の間に介挿され、一方向の回転運動のみ係合して内外の回転体を一体回転させるので、前記第１の移動部材の一方向の回転運動のみ前記第２の移動部材に回転連絡することを可能にするという効果を奏する。
【発明を実施するための最良の形態】
【００２９】
以下本発明の最良の実施の形態につき実施例に基づき、図面を用いて説明する。
【実施例１】
【００３０】
本第１実施例のパチンコ遊技機は、本願第１発明の実施例であり、図１ないし図５に示されるように、外枠１０１と、前記外枠１０１に対して揺動自在に付設された開閉扉９および遊技盤本体１００と、前記開閉扉９またはおよび前記遊技盤１００の開閉動作を支持するヒンジ部１０２を備えたパチンコ遊技機において、前記開閉扉９の開放動作または閉鎖動作の一方の開放動作に選択的に連動して移動位置に移動する移動部材１と、前記移動部材１の位置によって、前記開閉扉９の開放動作を報知する報知部材４および移動した前記移動部材１の位置を定位置に復帰させる機械的復帰駆動手段３とから成る。
【００３１】
前記開閉扉９および遊技盤本体１００は、図１に示されるように前記外枠１０１の左側上下部の端部に配設されたヒンジ部１０２によって揺動自在に支持されることによって、前記外枠１０１に対して揺動自在に配設されている。
【００３２】
前記移動部材１は、図２ないし図４に示されるように移動機構１０における前記開閉扉９の開放動作に伴う押圧部材１６の先端部１６１の押圧により、ガイド棒１３および１４に沿って移動する矩形部材１５によって構成される。
【００３３】
前記移動機構１０は、図２ないし図４に示されるように、前記開閉扉９を揺動自在に支持するヒンジ部１０２が配設される前記外枠１０１の上面に前後方向において一定距離離して配設された所定厚さの矩形部材より成る両端部材１１および１２と、該両端部材１１および１２を連結して、上下方向一定間隔で平行に延在形成された円柱状の前記ガイド棒１３および１４と、前記ガイド棒が介挿される２個の穴部を有し、前記両端部材１１および１２の間において前記ガイド棒１３および１４に沿って移動する前記両端部材１１および１２に比べてサイズの大きな前記矩形部材１５と、前記開閉扉９の下端のコーナー部９１に突設され、前記開閉扉９が開放された時、前記ヒンジ廻りの揺動に伴い前記先端部１６１が前記矩形部材１５の一方の面１５１に当接して、前記ガイド棒１３，１４に沿って前記矩形部材１５を後方へ移動させる前記押圧部材１６とによって構成される。
【００３４】
前記一方の両端部材１２は、前記ガイド棒１３および１４が介挿される２個の穴部の間の部位に磁石のような磁気を帯びた部材１６Mが螺装され介挿される穴部を有する。また、前記磁気を帯びた部材１６Mは、図３（ａ）破線表示に示されるように前記開閉扉９が開放された際に前記押圧部材１６の揺動により揺動して接近してきた前記矩形部材１５を前記両端部材１２へ磁気吸着力により誘引することにより、前記移動機構１０の移動を確実なものとするとともに、図３（ｂ）に示すように前記開閉扉９の閉鎖時において、前記開閉扉９に配設された前記押圧部材１６の前記先端部１６１と前記矩形部材１５の一方の面１５１との間に一定の間隔を確保して、干渉を回避することにより、前記開閉扉９の閉鎖動作によって前記矩形部材１５が移動することはないようにして、前記矩形部材１５は前記開閉扉９の開放動作のみに選択的に連動するように構成され、前記開閉扉９の閉鎖動作を円滑なものとするように構成されている。
【００３５】
前記機械的復帰駆動手段３は、図２ないし図４に示されるように前記外枠１０１の上面に前後方向において定位置または移動位置に位置する前記移動部材としての前記矩形部材１５の側面に一端が当接するとともに、他端が後述する包囲部材１０９の内側壁に当接するように介挿された所定のバネ定数のバネ部材３０によって構成されている。
【００３６】
前記バネ部材３０は、変位量に応じたバネの付勢力により  前記移動位置に移動して係止手段によって係止されている前記移動部材または報知手段が、前記係止手段による係止が解除された時には、前記移動位置から定位置へ駆動するように構成されている。
【００３７】
前記係止手段３１は、図５（Ｂ）に示すように包囲部材１０９の内側壁に穿設された円筒状の凹部３１０に介挿され前記移動部材としての前記矩形部材１５の側面に当接して前記移動位置に係止する下端にフランジ部を備えたコの字状の突出片３１１と、当該コの字状の突出片３１１の内底面と前記円筒状の凹部３１０の底面との間に介挿され前記コの字状の突出片３１１を突出させるコイルスプリング３１２と、コの字状の突出片３１１の内底面に一端が固定され他端に円形の把手３１４が配設され、前記移動部材としての前記矩形部材１５の係止を解除するときにはコの字状の突出片３１１を円筒状の凹部３１０内に収納するためのたロッド状の解除部材３１３とから成る。
【００３８】
上述の前記移動機構１０と前記機械的復帰駆動手段３は、図２に示されるように前記押圧部材１６との干渉を回避するための矩形状の開口部１０９１が一部に形成された直方体状の包囲部材１０９によって包囲され、前記矩形部材１５の位置および前記機械的復帰駆動手段３が外部から見えないように構成されている。
【００３９】
前記報知部材４は、前記開閉扉またはおよび遊技盤本体の開放動作または閉鎖動作の一方の動作に選択的に連動して移動位置に移動した前記移動部材１としての前記矩形部材１５を目視することが出来るように前記包囲部材１０９の前記一方の両端部材に近接した部位に形成された覗き穴４１によって構成されている
【００４０】
上記構成より成る本第１実施例のパチンコ遊技機は、前記開閉扉９が不正に開放されると、前記開閉扉９の開放により前記押圧部材１６の前記先端部１６１が揺動し、前記移動部材１としての前記矩形部材１５を図３および図４中右方に退避させる。
【００４１】
前記両端部材１２の一方に配設された前記磁気を帯びた部材１６が、図３（ａ）破線表示に示されるように前記開閉扉９が開放された際に前記押圧部材１６の揺動により、退避接近してきた前記矩形部材１５を前記一方の両端部材１２に配設された磁石のような磁気を帯びた部材１６によって、前記一方の両端部材１２の方向へ磁気吸着力により吸引するので、前記両端部材１２の一方に当接させる。
【００４２】
前記開閉扉の開放動作に選択的に連動して前記移動部材としての前記矩形部材１５が前記両端部材１２の一方に当接する移動位置に移動すると、前記報知部材４を構成する前記包囲部材１０９に形成された覗き穴４１を介して、従業員によって目視することが出来るので、前記開閉扉９の不正に開放されたことが確認出来る。
【００４３】
従業員によって前記報知部材４を構成する前記覗き穴４１を介する前記移動部材の移動の目視による確認が終わったら、新たな不正開放の検出が出来るように前記円形の把手３１４を引っ張ることにより、前記矩形部材１５の係止を解除すると、前記バネ部材３０の付勢力により移動位置の前記矩形部材１５移動させて定位置に復帰させる。
【００４４】
すなわち前記円形の把手３１４が引っ張られると、前記ロッド状の解除部材３１３を介して前記コイルスプリング３１２に抗して、前記コの字状の突出片３１１が前記円筒状の凹部３１０内に収納されるので、前記コの字状の突出片３１１による前記移動部材１としての前記矩形部材１５の側面への当接およ係止状態が解除されるため、前記移動位置に係止されていた前記移動部材１としての前記矩形部材１５が、前記バネ部材３０によって、定位置に復帰されるのである。
【００４５】
上記作用を奏する本第１実施例のパチンコ遊技機は、何者かによって、前記開閉扉９が不正に開放されると、前記開閉扉９の開放により前記押圧部材１６の前記先端部１６１が揺動し、前記移動部材１としての前記矩形部材１５を図２および図３中右方に退避させ、退避接近してきた前記矩形部材１５を前記一方の両端部材１２の方向へ磁石等による磁気吸着力により吸引するので、前記一方の両端部材１２に当接させるので、前記報知部材４を構成する前記包囲部材１０９の前記一方の両端部材に近接した部位に形成されたに形成された覗き穴４１を介して、従業員によって目視することが出来るので、前記開閉扉９の不正開放を確実に検知することが出来るという効果を奏する。
【００４６】
また本第１実施例のパチンコ遊技機は、前記開閉扉９の不正開閉を確実に検知して報知するので、翌朝電源投入後に遊技盤に配設された釘への不正操作および制御基板の不正改造に対する処置を可能にするという効果を奏する。
【００４７】
さらに本第１実施例の遊技機は、前記移動部材１が定位置にある時は前記報知部材４としての前記覗き穴４１を介して前記移動部材１が目視出来ないので、前記移動部材１が定位置にあることを報知するため、夜間における前記開閉扉９の不正開閉が無かったことを確実に報知して、遊技盤に配設された釘への不正操作および制御基板の不正改造に対するチェックおよび処置を不要にするという効果を奏する。
【００４８】
また本第１実施例のパチンコ遊技機は、従業員によって前記報知部材４を構成する前記覗き穴４１を介する前記移動部材の移動の目視による確認が終わったら、新たな不正開放の検出が出来るように前記円形の把手３１４が引っ張られると、前記矩形部材１５の係止が解除され、前記バネ部材３０の付勢力により移動位置の前記矩形部材１５移動させて定位置に自動的な復帰を可能にするとともに、新たな不正開放が検知出来るという効果を奏する。
【００４９】
さらに本第１実施例のパチンコ遊技機は、前記移動機構１０の前記両端部材１２に配設された磁石のような前記磁気を帯びた部材１６が、前記開閉扉９が開放された際に前記押圧部材１６の揺動により、退避接近してきた前記矩形部材１５を前記両端部材１２へ磁気吸着力により吸引するので、前記移動機構１０の移動を確実なものとするとともに、前記開閉扉９の閉鎖時において、前記開閉扉９に配設された前記押圧部材１６の前記先端部１６１と前記矩形部材１５の一方の面１５１との間に一定の間隔を確保して、干渉を回避することにより、前記開閉扉９の閉鎖動作によって前記矩形部材１５が移動することはないようにして、前記矩形部材１５が前記開閉扉９の開放動作のみに選択的に連動することを実現するとともに、前記開閉扉９の閉鎖動作を円滑にするという効果を奏する。
【実施例２】
【００５０】
本第２実施例のパチンコ遊技機は、本願第３発明の実施例であり、図６ないし図９に示されるように、外枠１０１に対して揺動自在に付設された開閉扉９および遊技盤本体１００を備えたパチンコ遊技機において、一端１５１１が前記外枠１０１に当接し、前記遊技盤本体１００の開閉動作に応じて移動する移動部材を構成する第１の移動部材１５１と、前記第１の移動部材１５１の移動に応じて移動する前記移動部材１を構成する第２の移動部材１５２と、該第２の移動部材１５２に連絡して、該第２の移動部材１５２の前記遊技盤本体１００の開放動作に選択的に連動して移動位置に移動して、前記遊技盤本体１００の開閉動作を報知する報知部材１５３および移動した前記報知部材１５３の位置を定位置に復帰させる機械的復帰駆動手段３とから成る。
【００５１】
前記移動部材は、図６ないし図８に示されるように遊技盤本体１００内に移動自在に介挿された前記第１の移動部材１５１と前記第２の移動部材１５２と、前記第２の移動部材１５２が下方に移動する時のみ選択的に下方に移動する移動部材であるところの報知部材１５３とから成る。
【００５２】
前記第１の移動部材１５１は、図６ないし図８に示されるようにロッド部材によって構成され、前記遊技盤本体１００内の円筒状の部屋１５５内に同軸的に介挿されるとともに、水平な横方向に移動自在に延在配設され、リング状の係止部１５１３と前記円筒状の部屋１５５の図中左側の底部１５５１との間に付勢部材としてのコイルスプリング１５１４が介挿され、図中左方に移動するような拡開する付勢力が作用している。
【００５３】
前記第１の移動部材１５１の前記一端１５１１は、図６ないし図９に示されるように前記円筒状の部屋の図中右側の底部１５５２の中央に穿設された開口部１５５３に挿入突出され、前記外枠１０１の壁面に当接するとともに、前記第１の移動部材１５１の他端１５１２は、ローラ部材１５１５がピン１５１６とピンの両端を支持する支持機構１５１７により回転自在に配設されている。
【００５４】
前記第２の移動部材１５２は、図６ないし図８に示されるように略逆Ｌ字状の板状部材によって構成され、上端１５２１と前記遊技盤本体１００の係止部との間に付勢部材としてのスプリング１５２２が介挿され、図中下方に向かう付勢力が作用している。
【００５５】
前記第２の移動部材１５２は、図６ないし図８に示されるように左側面には傾斜面１５２３と水平面１５２４とから成る略横Ｖ字状の開口部１５２５が形成されている。
【００５６】
前記第２の移動部材１５２の前記略横Ｖ字状の開口部１５２５内には、前記第１の移動部材１５１のローラ部材１５１５が回転自在に配設された前記他端１５１２が介挿され、前記第１の移動部材１５１の前記ローラ部材１５１５が前記開口部１５２５の前記傾斜面１５２３に当接しており、前記遊技盤本体１００が開閉されると前記ローラ部材１５１５が前記開口部１５２５の前記傾斜面１５２３に沿って転動することにより、前記第１の移動部材１５１が往復動して進退するように構成されている。
【００５７】
前記第２の移動部材１５２は、図６ないし図８に示されるように下方の突出部１５２６の左側面は、前記遊技盤本体１００の一部に形成された前記第２の移動部材１５２を図中右方向に押圧する押圧部１０８に当接するとともに、下方の突出部１５２６の右側面には一定範囲に亘り傾斜部と水平部１が交互に繰り返し形成された係合部１５２７が形成されている。
【００５８】
前記報知部材１５３は、図６ないし図８に示されるように前記第２の移動部材１５２に対向して並設された矩形状の部材によって構成され、左側面には一定範囲に亘り傾斜部と水平部１が交互に繰り返し形成された係合部１５３１が形成され、前記遊技盤本体１００が開放され前記第１の移動部材１５１が左方に突出する時には、前記第２の移動部材１５２が下方に移動する時は、前記係合部１５２７と係合して下方に移動するように構成されている。
【００５９】
前記報知部材１５３は、右側面下部には、前記遊技盤本体１００が開放され前記第２の移動部材１５２が下方に移動する時は、前記係合部１５２７と係合して下方に移動した後、前記遊技盤本体１００が閉鎖されると前記第２の移動部材１５２は上方に移動するが、その時は前記第２の移動部材１５２の前記係合部１５２７と係合しないため、下方の移動位置に止まるため新たな前記遊技盤本体１００の不正開閉を検出するために上方の定位置に復帰させるための前記遊技盤本体１００の壁面に上下方向に形成されたスロット１０７から突出する把手１５４が配設されている。
【００６０】
前記遊技盤本体１００の壁面に上下方向に形成されたスロット１０７から突出する把手１５４が、前記スロット１０７内の上方位置にある時は、前記報知部材１５３が上方の定位置にあるということであり、前記遊技盤本体１００が閉鎖された状態のままであることが報知されていることになり、前記スロット１０７内の下方位置にある時は、前記報知部材１５３が下方の定位置にあるということであり、前記遊技盤本体１００が開放された状態にあることが報知される構成になっているのである。
【００６１】
さらに本第２実施例においては、前記遊技盤本体１００の壁面に上下方向に形成されたスロット１０７の下部に径の小さな覗き穴１０６が形成され、該覗き穴１０６に対向する前記報知部材１５３の右側面の最下部（図６ないし図８中ハッチング部分）には赤の塗料を塗布してあるので、夜間において前記遊技盤本体１００の不正開閉が行われた後、翌朝パチンコ遊技機に電源が投入されると、正面用のランプが点灯するため、径の小さな覗き穴１０６を介して前記報知部材１５３の右側面の最下部に塗布してある赤の塗料を確認出来るようにして報知が行われるように構成されている。
【００６２】
前記機械的復帰駆動手段３は、図６ないし図８に示されるように前記遊技盤本体１００内に配設され、定位置または移動位置に位置する前記移動部材としての前記報知部材１５３の図中上面に一端が係止されるとともに、他端が前記遊技盤本体１００内の壁面に係止されるように介挿された所定のバネ定数のバネ部材３０によって構成されている。
【００６３】
前記バネ部材３０は、変位量に応じたバネの付勢力により  前記移動位置に移動して係止手段によって係止されている前記移動部材または報知手段が、前記係止手段による係止が解除された時には、前記移動位置から定位置へ駆動するように構成されている。
【００６４】
前記係止手段３１は、前記遊技盤本体１００の内側壁に穿設された円筒状の凹部３１０に介挿され前記報知部材１５３の側面に当接するとともに、上面を係止して前記移動位置に係止する下端にフランジ部を備えたコの字状の突出片３１１と、当該コの字状の突出片３１１の内底面と前記円筒状の凹部３１０の底面との間に介挿され前記コの字状の突出片３１１を突出させるコイルスプリング３１２と、コの字状の突出片３１１の内底面に一端が固定され他端に円形の把手３１４が配設され、前記移動部材としての前記報知部材１５３の係止を解除するときにはコの字状の突出片３１１を円筒状の凹部３１０内に収納するためのたロッド状の解除部材３１３とから成る。
【００６５】
前記円形の把手３１４は、前記報知部材１５３と前記第２の移動部材１５２との間に上下２個介挿配置された楔状のセパレータ３１５と連動しており、前記円形の把手３１４が、前記係止手段の係止状態の解除のために従業員によって引っ張られると前記セパレータ３１５も図中右方に移動するため、前記報知部材１５３と前記第２の移動部材１５２との対向面に形成された鋸歯状の前記係合部１５３１と前記係合部１５２７との係合が解除されるように構成されている。
【００６６】
上述の前記移動機構と前記機械的復帰駆動手段３は、図６ないし図９に示されるように前記遊技盤本体１００内に配設され、前記移動動材１５３の位置、前記機械的復帰駆動手段３が外部から見えないように構成されている。
【００６７】
上記構成より成る本第２実施例のパチンコ遊技機は、前記遊技盤本体１００が閉鎖されている時には、図６に示されるように前記第１の移動部材１５１の前記一端１５１１が、前記外枠１０１の壁面に押圧され、図中右方向右端位置すなわち前記第１の移動部材１５１の前記他端１５１２に配設されたローラ部材１５１５が、前記開口部１５２５の前記傾斜面１５２３の右端部に当接しており、押し込まれている。
【００６８】
夜間または昼間において、前記遊技盤本体１００が開放された時には、図７に示されるように前記コイルスプリング１５１４の付勢力により、前記第１の移動部材１５１が左方に移動してその前記一端１５１１が、前記遊技盤本体１００から左方に突出するので、前記他端１５１２の前記ローラ部材１５１５が、前記開口部１５２５の前記傾斜面１５２３の右端部から左端部に転動して後退するので、下方に向かう付勢力が作用しているスプリング１５２２が前記第２の移動部材１５２を下方に移動させる。
【００６９】
前記第２の移動部材１５２が下方に移動する時は、図７に示されるように前記第２の移動部材１５２の左側面が前記遊技盤本体１００の一部に形成された前記押圧部１０８に当接して前記第２の移動部材１５２を図中右方向に押圧するので、前記係合部１５２７と前記報知部材１５３の係合部１５３１とが係合して、前記第２の移動部材１５２と前記報知部材１５３とが一体的に下方に移動して、下端の移動位置まで移動するとともに、前記報知部材１５３が前記係止手段３１のコの字状の突出片３１１が突設して係止される。
【００７０】
次に前記遊技盤本体１００が閉鎖されると、前記外枠１０１の壁面に押圧され前記第１の移動部材１５１が、図８に示されるように右方に押し込まれるので、前記第２の移動部材１５２は上方に移動するが、その時は前記第２の移動部材１５２の前記係合部１５２７と前記係合部１５３１とが係合しないため、前記報知部材１５３は下方の移動位置に止まるため、前記把手１５４が、前記スロット１０７内の下方位置にある時は、前記遊技盤本体１００が不正開放された状態にあることが報知される。
【００７１】
また本第２実施例においては、前記遊技盤本体１００の壁面に上下方向に形成されたスロット１０７の下部に形成された前記径の小さな覗き穴１０６に対向する前記報知部材１５３の右側面の最下部（図６ないし図８中ハッチング部分）には赤の塗料を塗布してあるので、夜間において前記遊技盤本体１００の不正開閉が行われた後、翌朝パチンコ遊技機に電源が投入されると、正面用のランプが点灯するため、径の小さな覗き穴１０６を介して前記報知部材１５３の右側面の最下部に塗布してある赤の塗料を確認出来るようにして報知が行われるのである。
【００７２】
前記報知部材１５３が下方の移動位置に止まり、上述の報知が行われていることになるが、何らかの原因でスプリング３０が動作しない場合でも、従業員によって、前記円形の把手３１４を操作するとともに前記遊技盤本体１００の壁面に上下方向に形成されたスロット１０７の下端位置から突出する把手１５４を手前（図８中右方に引きながら上方にスライドして、新たな前記遊技盤本体１００の不正開閉を検出するために上方の定位置に復帰させることが出来る。
【００７３】
従業員によって前記報知部材４を構成する前記スロット１０７および前記覗き穴１０６を介する前記移動部材の移動の目視による確認が終わったら、新たな不正開放の検出が出来るように前記円形の把手３１４を引っ張る（図中右方）ことにより、前記報知部材１５３の係止を解除すると、前記バネ部材３０の付勢力により移動位置の前記報知部材１５３を移動させて定位置に復帰させる。
【００７４】
すなわち前記円形の把手３１４が引っ張られると、前記ロッド状の解除部材３１３を介して前記コイルスプリング３１２に抗して、前記コの字状の突出片３１１が前記円筒状の凹部３１０内に収納されるので、前記コの字状の突出片３１１による前記移動部材１としての前記矩形部材１５の側面への当接およ係止状態が解除されるため、前記移動位置に係止されていた前記移動部材１としての前記矩形部材１５が、前記バネ部材３０によって、定位置に復帰されるのである。
【００７５】
上記作用を奏する本第２実施例のパチンコ遊技機は、前記移動部材１を構成する一端１５１１が前記枠体に当接した前記第１の移動部材１５１が、前記遊技盤本体の開閉動作に応じて横方向に移動し、前記第２の移動部材１５２が、前記第１の移動部材１５１の移動に応じて下方に移動することから、前記報知部材１５３が、該第２の移動部材１５２に連絡して、該第２の移動部材１５２の前記遊技盤本体の開放動作に選択的に連動して移動位置に下方移動し、前記遊技盤本体の開閉動作を報知するので、前記遊技盤本体の不正開閉を確実に検知することが出来るという効果を奏する。
【００７６】
また本第２実施例のパチンコ遊技機は、前記遊技盤本体１００の不正開閉を確実に検知して報知するので、翌朝電源投入後に遊技盤に配設された釘への不正操作および制御基板の不正改造に対する処置を可能にするという効果を奏する。
【００７７】
さらに本第２実施例のパチンコ遊技機は、前記復帰手段としての前記把手１５４が、前記遊技盤本体の開放動作に選択的に連動して移動位置に移動した前記移動部材としての前記報知部材１５３を定位置に復帰させるので、新たな前記遊技盤本体の不正開閉の検知を可能にするという効果を奏する。
【００７８】
さらに本第２実施例のパチンコ遊技機は、従業員によって前記報知部材１５３を構成する前記覗き穴１０６を介する前記報知部材１５３の移動の目視による確認が終わったら、新たな不正開放の検出が出来るように前記円形の把手３１４が引っ張られると、前記報知部材１５３の係止が解除され、前記バネ部材３０の付勢力により移動位置の前記報知部材１５３を移動させて定位置に自動的な復帰を可能にするとともに、新たな不正開放が検知出来るという効果を奏する。
【００７９】
上述の実施例は、説明のために例示したもので、本発明としてはそれらに限定されるものでは無く、特許請求の範囲、発明の詳細な説明および図面の記載から当業者が認識することができる本発明の技術的思想に反しない限り、変更および付加が可能である。
【００８０】
上述の実施例は、一例としてパチンコ遊技機について説明したが、本発明としてはそれらに限定されるものでは無く、パチンコ遊技機に限らず、外枠および開閉扉を有する回胴式遊技機をはじめその他本発明を適用可能な遊技機等についても適用可能である。
【００８１】
また、上述の実施例においては、一例として前記報知手段が不正開放が行われたことを報知する不正開放報知状態を実現する態様について説明したが、本発明としてはそれらに限定されるものでは無く、不正開放が行われなかったことを報知する正常報知状態を実現する構成としてもよい。
【００８２】
上述の実施例においては、一例として復帰駆動手段として金属製のコイルスプリングのようなバネ部材を用いた例について説明したが、本発明としてはそれに限定されるものではなく、例えばバネ部材として板バネは言うに及ばず、ゴムや軟質プラスチックのような弾性を有する材料を用いるものでも良く、ベローズまたはダイアフラムを用いた空気圧バネを利用する態様や、油圧などの流体圧を用いる態様も利用可能である。
【００８３】
また、前記包囲部材は、前記移動部材に加え前記復帰手段等も包囲するように適用可能であり、本発明の効果を実現するにあたり有効的に適宜活用できるものである。
【００８４】
ここで、上述の実施例における報知の方法については一例としてパチンコ遊技機に備えられた報知手段によって報知する例について説明したが、本発明はこれに限定されるものでなくパチンコ遊技機では報知されることなく、ホールの集中管理室または島データ表示装置等によって報知、もしくはこれらの組み合わせによって報知されるものであってもよい。
【００８５】
上述の実施例においては、一例として前記枠体に対する前記遊技盤本体および前記開閉扉の不正開閉を検知する実施例を記載し、前記枠体および前記遊技盤本体に対する前記開閉扉の不正開閉を検知する実施例を記載したが、不正開閉を検知する対象を前記遊技盤本体および前記開閉扉とするか、前記開閉扉のみとするかは、上述した不正開閉検知機構の配置を変えることにより容易に実現できるものであり、上述の各実施例においてどちらの不正開閉を検知する構成とするかは選択的事項であるとともに、前記不正開閉検知機構を組み合わせることにより不正開放および不正閉鎖の両方を検知する構成とすることも出来る。
【産業上の利用可能性】
【００８６】
外枠と、前記外枠に対して揺動自在に付設された開閉扉および遊技盤本体と、前記開閉扉またはおよび前記遊技盤の開閉動作を支持するヒンジ部を備えたパチンコ遊技機において、前記開閉扉の開放動作または閉鎖動作の一方の開放動作に選択的に連動して移動位置に移動する移動部材と、前記移動部材の位置によって、前記開閉扉の開放動作を報知する報知部材および移動した前記移動部材の位置を定位置に復帰させる機械的復帰駆動手段とから成り、電源が供給されていない夜間における前記開閉扉またはおよび遊技盤本体の不正開閉および制御基板の不正改造を精確に検知するとともに、翌朝電源投入後に制御基板の不正改造に対する処置を可能にして、前記移動部材を定位置に復帰させるという用途にも適用できる。
【図面の簡単な説明】
【００８７】
【図１】本発明の第１実施例のパチンコ遊技機において、開閉扉を開放した時の斜視図である。
【図２】本第１実施例のパチンコ遊技機において、移動部材、移動機構、復帰手段を示す部分拡大斜視図である。
【図３】本第１実施例のパチンコ遊技機において、開閉扉の開放前の状態、開放状態および閉鎖状態における要部である移動部材、移動機構、復帰手段を示す部分拡大平面図である。
【図４】本第１実施例のパチンコ遊技機において、開放前および開放後の要部である移動部材、移動機構、復帰手段を示す部分拡大側面図である。
【図５】本第１実施例のパチンコ遊技機において、開閉扉、押圧部材、包囲部材を示す部分拡大平面図および係止機構を示す部分拡大断面図である。
【図６】本発明の第２実施例のパチンコ遊技機において、遊技盤本体が閉鎖されている状態を示す部分拡大断面図である。
【図７】本２実施例のパチンコ遊技機において、遊技盤本体が開放されている状態を示す部分拡大断面図である。
【図８】本２実施例のパチンコ遊技機において、遊技盤本体が再び閉鎖された状態を示す部分拡大断面図である。
【図９】本第２実施例のパチンコ遊技機において、第１の移動部材の他端を示す部分拡大平面図および側面図である。
【図１０】従来の第１の遊技機において、ソレノイドにより移動させて下扉の閉動作を阻止する前記移動部材を示す部分断面図である。
【図１１】従来の第２の遊技機において、レールに移動可能に取り付けられ、扉が開放されると移動する扉開放センサを示す部分断面図である。
【符号の説明】
【００８８】
１  移動部材
３  機械的復帰駆動手段
４  報知部材
９  開閉扉
１００  遊技盤本体
１０１  枠体
１０９  包囲部材
【図１】
2010029327.tif 000003
【図２】
2010029327.tif 000004
【図３】
2010029327.tif 000005
【図４】
2010029327.tif 000006
【図５】
2010029327.tif 000007
【図６】
2010029327.tif 000008
【図７】
2010029327.tif 000009
【図８】
2010029327.tif 000010
【図９】
2010029327.tif 000011
【図１０】
2010029327.tif 000012
【図１１】
2010029327.tif 000013